(57)【要約】      （修正有）【課題】ハーフペダルの実行に適したダンパーペダルの踏込み位置を演奏者に容易に理解させることができるピアノのダンパー駆動装置を提供する。【解決手段】ダンパーペダル２と、これに連結されたペダル突揚棒３と、ペダル突揚棒３で突き上げられて回動することにより、ダンパー２４を駆動するラウドレバー４と、ペダル突揚棒３を上下方向に案内するためのペダル突揚棒ガイド１２と、ガイド孔１２ａに取り付けられ、ペダル突揚棒３の摺動途中に一時的に嵌合した状態に係合するブッシュ１３と、を備える。ペダル突揚棒３には嵌合凹部が設けられ、ブッシュ１３には、ダンパーペダル２の踏込み操作に伴い、ダンパー２４が弦Ｓに所定の接触度合で接したときに、嵌合凹部に嵌合する嵌合リングが設けられている。【選択図】図１
2017049467.tif 000002
【特許請求の範囲】
【請求項１】
水平に延びるように張設された弦に対し、その上側において離接自在のダンパーを駆動するピアノのダンパー駆動装置であって、
支点を中心として揺動自在に構成され、ダンパーを駆動するために踏込み操作されるダンパーペダルと、
上下方向に延び、下端部が前記ダンパーペダルに連結されたペダル突揚棒と、
回動自在に構成され、前記ペダル突揚棒が下方から当接し、当該ペダル突揚棒で突き上げられることによって回動することにより、前記ダンパーを駆動するラウドレバーと、
前記ペダル突揚棒が貫通するガイド孔を有し、当該ペダル突揚棒を上下方向に案内するための不動のペダル突揚棒ガイドと、
このペダル突揚棒ガイドの前記ガイド孔に取り付けられ、前記ペダル突揚棒が摺動自在に係合するとともに、その摺動途中に一時的に嵌合した状態に係合する係合部材と、
を備え、
前記ペダル突揚棒は、長さ方向の所定位置に、凹状及び凸状の一方に形成された嵌合部を有しており、
前記係合部材は、凹状及び凸状の他方に形成され、前記ダンパーペダルの踏込み操作に伴い、前記ダンパーが所定の接触度合で前記弦に接したときに、前記嵌合部が嵌合する被嵌合部を有していることを特徴とするピアノのダンパー駆動装置。
【請求項２】
前記係合部材は、上下方向に延びる筒状に形成され、
前記被嵌合部が、弾性材料から成り、前記係合部材の内周面に、周方向に沿って延びかつ内方に向かって突出する凸状に形成されており、
前記嵌合部が、前記ペダル突揚棒の外周面に、周方向に沿って延びかつ外方に向かって開放する凹状に形成されていることを特徴とする請求項１に記載のピアノのダンパー駆動装置。
【請求項３】
前記係合部材は、外周面に雄ねじを有しており、当該雄ねじを介して、前記ガイド孔に上下方向に移動自在にねじ込まれていることを特徴とする請求項２に記載のピアノのダンパー駆動装置。
【請求項４】
前記係合部材の上下方向の一方の端部には、工具を用いて当該係合部材を回転操作する際に、当該工具が係合可能な工具係合部が設けられていることを特徴とする請求項３に記載のピアノのダンパー駆動装置。
【発明の詳細な説明】
【技術分野】
【０００１】
本発明は、ピアノのダンパー駆動装置に関し、特に演奏者がダンパーペダルを踏み込んでいる状態のときに、ダンパーが所定の接触度合で弦に接していることを、演奏者に伝えることが可能なピアノのダンパー駆動装置に関する。
【背景技術】
【０００２】
従来、グランドピアノのダンパー駆動装置として、例えば特許文献１に開示されたものが知られている。このダンパー駆動装置は、ラウド効果を得るために踏込み操作されるダンパーペダル（以下単に「ペダル」という）と、このペダルに連結され、上下方向に延びるペダル突揚棒と、このペダル突揚棒で突き上げられることによって回動することより、ダンパーを上下方向に駆動するラウドレバーなどを備えている。ダンパーは、水平に張られた弦に対し、その上側において上下方向に移動することで離接自在に構成されており、鍵が押鍵されていない離鍵状態では、弦に上方から当接している。
【０００３】
鍵が押鍵されると、その鍵に対応する弦からダンパーが上方に離れ、ハンマーで打弦された弦の振動を許容することで、ピアノ音が発生する。一方、鍵が離鍵されると、ダンパーが元の位置に戻り、弦に当接することによって弦の振動を停止し、発音が停止される。また、演奏中に、前記ペダルが演奏者によって大きく踏み込まれると、全てのダンパーが弦から離れる。これにより、押鍵に伴ってハンマーで打弦された弦によるピアノ音が延びるとともに他の弦の共鳴によって、ラウド効果が得られる。
【０００４】
また、演奏者は、ペダルを半分程度、踏み込むことにより、ピアノ音の延び具合を調整する、いわゆるハーフペダルを行うこともある。このハーフペダルでは、弦に対するダンパーの接触度合として、ダンパーが弦に浅く接する程度であり、その弦の振動によるピアノ音が完全には止音されず、ビブラートのような演奏効果を得ることができる。
【先行技術文献】
【特許文献】
【０００５】
【特許文献１】特開２００２−１４６６９号公報
【発明の概要】
【発明が解決しようとする課題】
【０００６】
しかし、上記のハーフペダルを行う場合、次のような問題がある。すなわち、一般に、グランドピアノでは、ピアノメーカにより、あるいは同一機種でもピアノの個体差により、ペダル操作の際の遊びや踏み代が異なり、特にハーフペダルを適切に行えるペダルの踏込み位置も異なっている。また、ピアノは、ポータブルタイプの楽器と異なり、備付けタイプの楽器であり、演奏者は初めて触るピアノで演奏するケースが少なくない。特に、コンクール参加やコンサートの場合には、事前に十分なリハーサルを行えない場合があり、このような場合には、演奏者は、ペダルをどの程度踏み込めばハーフペダルが適切に行えるかを短時間で習得しなければならず、演奏者にとっては負担が非常に大きい。
【０００７】
また、ダンパーは、その底部に設けられたダンパーフェルトを介して、弦に上方から当接するものであるため、経年変化などにより、ダンパーフェルトが縮みやすく、その場合には、ハーフペダルを適切に行えるペダルの踏込み位置が変化してしまうという問題もある。
【０００８】
本発明は、以上のような課題を解決するためになされたものであり、ダンパーが所定の接触度合で弦に接していることを演奏者に伝えることができ、それにより、例えばハーフペダルの実行に適したダンパーペダルの踏込み位置を演奏者に容易に理解させることができるピアノのダンパー駆動装置を提供することを目的とする。
【課題を解決するための手段】
【０００９】
上記の目的を達成するために、請求項１に係る発明は、水平に延びるように張設された弦に対し、その上側において離接自在のダンパーを駆動するピアノのダンパー駆動装置であって、支点を中心として揺動自在に構成され、ダンパーを駆動するために踏込み操作されるダンパーペダルと、上下方向に延び、下端部がダンパーペダルに連結されたペダル突揚棒と、回動自在に構成され、ペダル突揚棒が下方から当接し、ペダル突揚棒で突き上げられることによって回動することにより、ダンパーを駆動するラウドレバーと、ペダル突揚棒が貫通するガイド孔を有し、ペダル突揚棒を上下方向に案内するための不動のペダル突揚棒ガイドと、このペダル突揚棒ガイドのガイド孔に取り付けられ、ペダル突揚棒が摺動自在に係合するとともに、その摺動途中に一時的に嵌合した状態に係合する係合部材と、を備え、ペダル突揚棒は、長さ方向の所定位置に、凹状及び凸状の一方に形成された嵌合部を有しており、係合部材は、凹状及び凸状の他方に形成され、ダンパーペダルの踏込み操作に伴い、ダンパーが所定の接触度合で弦に接したときに、嵌合部が嵌合する被嵌合部を有していることを特徴とする。
【００１０】
この構成によれば、ダンパーペダルを踏込み操作することにより、ペダル突揚棒が、ペダル突揚棒ガイドのガイド孔を介して案内されながら上方に駆動される。この駆動されたペダル突揚棒により、ラウドレバーが突き上げられ、回動することによって、ダンパーが駆動される。また、この場合、ペダル突揚棒は、不動のペダル突揚棒ガイドのガイド孔を貫通し、そのガイド孔に取り付けられた係合部材に対して、摺動自在に係合するとともに、その摺動途中に一時的に嵌合した状態に係合する。具体的には、ペダル突揚棒の長さ方向の所定位置には、凹状及び凸状の一方に形成された嵌合部が設けられる一方、係合部材には、凹状及び凸状の他方に形成された被嵌合部が設けられている。そして、ダンパーペダルの踏込み操作に伴い、ダンパーが所定の接触度合で弦に接したときに、ペダル突揚棒の嵌合部が、係合部材の被嵌合部に嵌合する。上記の嵌合部が、被嵌合部に対して、嵌合していない状態から嵌合した状態に変化したときに、その変化（例えばクリック感）が、ペダル突揚棒及びダンパーペダルを介して、演奏者の足に伝わる。したがって、弦に対するダンパーの接触度合が、例えばハーフペダルの実行に適したものであるときに、ペダル突揚棒の嵌合部が係合部材の被嵌合部に嵌合するように設定することにより、ハーフペダルの実行に適したダンパーペダルの踏込み位置を演奏者に容易に理解させることができる。
【００１１】
請求項２に係る発明は、請求項１に記載のピアノのダンパー駆動装置において、係合部材は、上下方向に延びる筒状に形成され、被嵌合部が、弾性材料から成り、係合部材の内周面に、周方向に沿って延びかつ内方に向かって突出する凸状に形成されており、嵌合部が、ペダル突揚棒の外周面に、周方向に沿って延びかつ外方に向かって開放する凹状に形成されていることを特徴とする。
【００１２】
この構成によれば、係合部材が上下方向に延びる筒状に形成されていて、その内周面に、被嵌合部が設けられている。この被嵌合部は、弾性材料から成り、係合部材の内周面に、周方向に沿って延びかつ内方に向かって突出する凸状に形成されている。一方、嵌合部は、ペダル突揚棒の外周面に、周方向に沿って延びかつ外方に向かって開放する凹状に形成されている。ペダル突揚棒の嵌合部と、係合部材の被嵌合部とが嵌合していない状態では、係合部材の被嵌合部は、係合部材の内側を貫通するペダル突揚棒の外周面によって押し潰された状態になる。一方、嵌合部と被嵌合部が嵌合した状態では、押し潰されていた被嵌合部が復元し、その際の振動や衝撃が、ペダル突揚棒及びペダルを介して、演奏者の足に伝わる。上記のような被嵌合部を有する係合部材、及び嵌合部を有するペダル突揚棒による比較的簡単な構成により、演奏者がハーフペダルの実行に適したダンパーペダルの踏込み位置を理解可能なダンパー駆動装置を、容易に実現することができる。
【００１３】
請求項３に係る発明は、請求項２に記載のピアノのダンパー駆動装置において、係合部材は、外周面に雄ねじを有しており、雄ねじを介して、ガイド孔に上下方向に移動自在にねじ込まれていることを特徴とする。
【００１４】
この構成によれば、係合部材が、外周面の雄ねじを介して、ガイド孔にねじ込まれているので、その係合部材を、回転させることによって、上下方向に容易に移動させることができる。これにより、係合部材の内周面に設けられた被嵌合部の高さを、容易に調整することができる。したがって、経年変化などにより、ダンパーが所定の接触度合で弦に接するときのダンパーペダルの踏込み位置が変化した場合でも、その変化に応じて、係合部材の被嵌合部の高さを調整することで、ダンパーが所定の接触度合で弦に接するときに嵌合部が被嵌合部に嵌合する状態を容易に設定することができる。
【００１５】
請求項４に係る発明は、請求項３に記載のピアノのダンパー駆動装置において、係合部材の上下方向の一方の端部には、工具を用いて係合部材を回転操作する際に、工具が係合可能な工具係合部が設けられていることを特徴とする。
【００１６】
この構成によれば、係合部材の上下方向の一方の端部に設けられた工具係合部に、工具を係合させ、その工具を操作することによって、係合部材を回転させながら、上下方向に容易に移動させることができ、それに伴い、被嵌合部の高さ調整を容易に行うことができる。
【図面の簡単な説明】
【００１７】
【図１】本発明の一実施形態によるダンパー駆動装置を示す側面図である。
【図２】ペダル突揚棒ガイドに取り付けられたブッシュを示しており、（ａ）は外観図、（ｂ）は縦断面図、（ｃ）はペダル突揚棒との関係を示す縦断面図である。
【図３】ダンパー機構を示す斜視図である。
【図４】弦に対するダンパーの接触度合を説明するための図であり、（ａ）はダンパーが弦に深く接した状態、（ｂ）はダンパーが弦から離れた状態、（ｃ）はダンパーが弦に浅く接し、ハーフペダルの実行に適した状態を示す。
【図５】ペダル突揚棒の嵌合凹部とブッシュの嵌合リングとの関係を説明するための図であり、（ａ）はダンパーペダルが踏み込まれる前の状態、（ｂ）はダンパーペダルが大きく踏み込まれたときの状態、（ｃ）は嵌合凹部と嵌合リングが嵌合した状態を示す。
【発明を実施するための形態】
【００１８】
以下、図面を参照しながら、本発明の好ましい実施形態を詳細に説明する。図１は、本発明の一実施形態によるピアノのダンパー駆動装置を示している。同図に示すように、このダンパー駆動装置１は、弦Ｓが水平に延びるように張設されたグランドピアノに適用されたものであり、ダンパーペダル２と、上下方向に延び、ダンパーペダル２に連結されたペダル突揚棒３と、このペダル突揚棒３で突き上げられることによって上方に回動するラウドレバー４と、このラウドレバー４によって上方に駆動されるリフティングレール突揚棒５と、このリフティングレール突揚棒５の上側に設けられたダンパー機構６とを備えている。
【００１９】
ダンパーペダル２は、前後方向（図１の左右方向）に所定長さ延び、上下方向に延びるペダル柱１１の下端部に、支点２ａを中心として揺動自在に設けられている。
【００２０】
ペダル突揚棒３は、鉄などから成る金属製の丸棒で構成され、下端部がダンパーペダル２の後端部（図１の右端部）に連結されている。また、ペダル突揚棒３は、その上部がペダル柱１１の背面上部に不動に取り付けられた木製のペダル突揚棒ガイド１２を貫通した状態で、これによって上下方向に案内されるように支持されている。ペダル突揚棒ガイド１２は、所定の厚さを有するブロック状に形成されており、ペダル突揚棒３が上下方向に貫通するガイド孔１２ａが形成されている。また、このペダル突揚棒ガイド１２のガイド孔１２ａには、円筒状に形成され、ペダル突揚棒３が摺動自在に係合するブッシュ１３（係合部材）が取り付けられている。
【００２１】
図２（ａ）及び（ｂ）は、ブッシュ１３の外観及び縦断面をそれぞれ示している。両図に示すように、ブッシュ１３は、円筒状のブッシュ本体１４と、その内面に固定されたリング状の嵌合リング１５（被嵌合部）とで構成されている。ブッシュ本体１４は、金属又は合成樹脂から成り、ペダル突揚棒ガイド１２のガイド孔１２ａの径とほぼ同じ外径を有するとともに、ペダル突揚棒３の直径よりも若干大きい内径を有している。また、ブッシュ本体１４の外周面のほぼ上半部には、雄ねじ１４ａが形成されるとともに、下部には、横断面が六角形に形成され、レンチなどの工具が係合可能な工具係合部１４ｂが設けられている。さらに、ブッシュ本体１４の内周面には、嵌合リング１５を取り付けるための取付溝１４ｃが、周方向に沿って延びるように形成されている。
【００２２】
嵌合リング１５は、ゴムなどの弾性材料から成り、ブッシュ本体１４の内径よりも大きい外径を有するとともに、ブッシュ本体１４の内径よりも小さい内径を有し、断面が円形に形成されている。そして、この嵌合リング１５は、外縁部がブッシュ本体１４の取付溝１４ｃに嵌まった状態で、かつ内縁部がブッシュ本体１４の内周面よりも内方に突出した状態で、ブッシュ本体１４の内面に固定されている。
【００２３】
このように構成されたブッシュ１３は、雄ねじ１４ａを介して、ペダル突揚棒ガイド１２のガイド孔１２ａに下方からねじ込まれている。
【００２４】
また、ペダル突揚棒３には、上部の所定位置に、前記嵌合リング１５に嵌合可能な凹状の嵌合凹部３ａ（嵌合部）が形成されている。この嵌合凹部３ａは、図２（ｃ）に示すように、ペダル突揚棒３の外周面に、周方向に沿って延びかつ外方に向かって開放するように形成され、嵌合リング１５の内周側の半部と相補的な形状を有している。
【００２５】
図３は、ダンパー機構６を部分的に示している。このダンパー機構６は、ダンパーレバーレール２１、リフティングレール２２、複数のダンパーレバー２３及びダンパー２４（ダンパーレバー２３及びダンパー２４はそれぞれ１つのみ図示）などを備えている。ダンパーレバーレール２１は、アルミニウムの押出成形品で構成され、左右方向に並設された複数の鍵（図示せず）の後ろ側に、その並び方向に延びるように配置されている。複数のダンパーレバー２３は、鍵ごとに設けられ、後端部（図３の右端部）がダンパーレバーフレンジ２５を介してダンパーレバーレール２１に回動自在に支持されるとともに、前端部が、対応する鍵の後端部に上方から対向している。また、ダンパーレバー２３には、回動自在のダンパーワイヤーフレンジ２６と、そのフレンジ２６から上方に延びるダンパーワイヤー２７とが順に設けられている。そして、このダンパーワイヤー２７の上端部に、ダンパー２４が取り付けられている。
【００２６】
ダンパー２４は、前後方向に延びかつ側面形状が山形に形成された木製のダンパーヘッド２４ａと、その下面に取り付けられた前後２つのダンパーフェルト２４ｂ、２４ｂとで構成されている。各ダンパーフェルト２４ｂは、フェルトをブロック状に形成したものである。なお、図３に例示したダンパーフェルト２４ｂには、下方に向かって幅が広がるように開放し、前後方向の全体わたって延びるＶ字状の溝２４ｃが形成されている。
【００２７】
また、リフティングレール２２は、アルミニウムの押出成形品で構成され、複数のダンパーレバー２３の下側に、その並び方向に延び、これらに対向するように配置されている。各ダンパーレバー２３は、パイロットスクリュー２８を介して、リフティングレール２２上に載置されている。また、リフティングレール２２は、図示しない複数の連結部品を介して、ダンパーレバーレール２１に連結されている。複数の連結部品のうちの最も外側の２つには、左右方向に延びかつ外方に突出する左右２つのピン（図示せず）が設けられており、これらのピンがピアノ本体（図示せず）に回動自在に支持されている。これにより、ダンパーレバーレール２１及びリフティングレール２２は、上記２つのピンを中心として一体に回動自在になっている。さらに、リフティングレール２２は、その底部が前記リフティングレール突揚棒５の上端部に連結されている。
【００２８】
次に、以上のように構成されたダンパー駆動装置１の動作について説明する。なお、図４は、弦Ｓに離接するダンパー２４の動作を示しており、また、図５は、ペダル突揚棒ガイド１２のブッシュ１３に対するペダル突揚棒３の動作を示している。また、図４（ａ）及び図５（ａ）は、鍵が押鍵されておらず、かつダンパーペダル３が踏み込まれていない状態を示している。
【００２９】
鍵が押鍵されると、その後端部でダンパーレバー２３が突き上げられ、上方に回動する。これに伴い、ダンパー２４は、図４（ａ）及び（ｂ）の順に、上方に移動し、ダンパーフェルト２４ｂが弦Ｓから離れる。その直後、図示しないハンマーが弦Ｓを下方から打弦することにより、弦Ｓが振動し、ピアノ音が発生する。また、鍵が離鍵されると、ダンパーレバー２３が下方に復帰回動するのに伴い、ダンパー２４は、図４（ｂ）及び（ａ）の順に、下方に移動し、ダンパーフェルト２４ｂが弦Ｓに当接する。これにより、ダンパーレバー２３やダンパー２４などの重さにより弦Ｓの振動が停止され、止音される。
【００３０】
また、演奏中にダンパーペダル２が大きく踏み込まれると、ペダル突揚棒３は、図５（ａ）及び（ｂ）の順に、上方に移動し、ラウドレバー４を突き上げ、上方に回動させることにより、リフティングレール突揚棒５が上方に移動する。このリフティングレール突揚棒５によってリフティングレール２２が突き上げられることにより、ダンパーレバーレール２１と一体に上方に回動する。これにより、全てのダンパーレバー２３が上方に回動し、図４（ｂ）に示すように、全てのダンパー２４が上方に移動することによって、弦Ｓから一斉に離れ、ラウド効果が得られる。また、ダンパーペダル２への踏込みが解除されると、ペダル突揚棒３は、図５（ｂ）及び（ａ）の順に、下方に移動し、ダンパーレバーレール２１及びリフティングレール２２が自重で下方に復帰回動する。これにより、図４（ａ）に示すように、全てのダンパー２４が下方に移動して元の位置に戻り、弦Ｓに当接する。
【００３１】
また、ハーフペダルを実行する場合には、ダンパーペダル２を半分程度、踏み込んだ状態に維持する。この場合、ダンパー２４は、図４（ｃ）に示すような状態、具体的には、ハーフペダルを適切に行えるよう、弦Ｓに浅く接した状態（所定の接触度合）であり、このときに、ペダル突揚棒３の嵌合凹部３ａが、図５（ｃ）に示すように、ブッシュ１３の嵌合リング１５に嵌合する。これらが嵌合していない状態では、図５（ａ）及び（ｂ）に示すように、嵌合リング１５がペダル突揚棒３の外周面によって押し潰された状態になっている。一方、嵌合凹部３ａが嵌合リング１５に嵌合した状態では、押し潰されていた嵌合リング１５が復元し、その際の振動や衝撃が、例えばクリック感のように、ペダル突揚棒３及びダンパーペダル２を介して、演奏者の足に伝わる。
【００３２】
このように、本実施形態によれば、演奏者がダンパーペダル２を踏み込み、ダンパー２４のダンパーフェルト２４ｂが弦Ｓに浅く接した状態になったとき、すなわち弦Ｓに対するダンパー２４の接触度合がハーフペダルの実行に適したものであるときに、ペダル突揚棒３の嵌合凹部３ａが、ブッシュ１３の嵌合リング１５に嵌合することで、その際に生じるクリック感などを、演奏者に伝えることができる。これにより、演奏者は、ハーフペダルの実行に適したダンパーペダル２の踏込み位置を容易に理解することができる。
【００３３】
また、ブッシュ１３の嵌合リング１５の高さを調整する場合、レンチなどの工具をブッシュ１３の工具係合部１４に係合させ、その工具を用いてブッシュ１３を回転させることにより、上下方向に移動するブッシュ１３とともに嵌合リング１５を上下方向に容易に移動させることができる。したがって、経年変化などにより、ハーフペダルに適したダンパーペダル２の踏込み位置が変化した場合でも、その変化に応じて、嵌合リング１５の高さを調整することで、ダンパー２４がハーフペダルに適した接触度合で弦Ｓに接するときにペダル突揚棒３の嵌合凹部３ａがブッシュ１３の嵌合リング１５に嵌合する状態を容易に設定することができる。
【００３４】
なお、本発明は、説明した上記実施形態に限定されることなく、種々の態様で実施することができる。例えば、実施形態では、ペダル突揚棒３に凹状の嵌合凹部３ａを設ける一方、ブッシュ１３に凸状の嵌合リング１５を設けたが、これらの凹凸関係を逆にして、互いに嵌合するように構成することも可能である。また、ブッシュ１３の外周面には、上側に雄ねじ１４ａを、下側に工具係合部１４ｂを設けたが、これらの上下関係を逆にして、ブッシュを構成することも可能である。ただしこの場合には、ブッシュをペダル突揚棒ガイド１２のガイド孔１２ａに上方からねじ込む。
【００３５】
また、実施形態では、嵌合リング１５の材料についてはゴムを例示したが、嵌合凹部３ａが嵌合リング１５に嵌合したときに、そのことを、ペダル突揚棒３及びダンパーペダル２を介して、演奏者に伝えられるものであれば、嵌合リング１５を構成するものとして、弾性を有する種々の材料を採用することが可能である。また、実施形態で示したダンパー駆動装置１の細部の構成などは、あくまで例示であり、本発明の趣旨の範囲内で適宜、変更することができる。
【符号の説明】
【００３６】
１    ダンパー駆動装置
２    ダンパーペダル
２ａ  ダンパーペダルの支点
３    ペダル突揚棒
３ａ  嵌合凹部（嵌合部）
４    ラウドレバー
５    リフティングレール突揚棒
６    ダンパー機構
１２    ペダル突揚棒ガイド
１２ａ  ガイド孔
１３    ブッシュ（係合部材）
１４    ブッシュ本体
１４ａ  雄ねじ
１４ｂ  工具係合部
１４ｃ  取付溝
１５    嵌合リング（被嵌合部）
２１    ダンパーレバーレール
２２    リフティングレール
２３    ダンパーレバー
２４    ダンパー
２４ａ  ダンパーヘッド
２４ｂ  ダンパーフェルト
Ｓ    弦
【図１】
2017049467.tif 000003
【図２】
2017049467.tif 000004
【図３】
2017049467.tif 000005
【図４】
2017049467.tif 000006
【図５】
2017049467.tif 000007